(57)【要約】【課題】ケース本体とカバーとの間の防音性に優れた電気機器ケースを提供する。【解決手段】電気機器ケース２は、ケース本体１０と、ケース本体１０の開口を覆うカバー４を備える。ケース本体１０の開口内に、カバー４を取り付けるボルト９のボルト１３を頭頂面に有する突部１２が設けられている。電気機器ケース２は、さらに、カバー４の裏面から伸びており、突部１２の周囲を囲むリブ５と、リブ５の外周に取り付けられた防音材２１を有する。防音材２１が、突部１２の周囲を通じて漏れる騒音を低減する。【選択図】図２
2014053475.tif 000002
【特許請求の範囲】
【請求項１】
ケース本体と、
ケース本体の開口を覆うカバーと、
ケース本体の開口内に設けられており、カバーを取り付けるボルトの挿通孔を頭頂面に有する突部と、
突部の周囲を囲むリブと、
リブの外周に取り付けられている防音材と、
を有することを特徴とする電気機器ケース。
【請求項２】
前記リブは、カバーの裏面から伸びていることを特徴とする請求項１に記載の電気機器ケース。
【請求項３】
カバーに、前記突部を通す孔が設けられているとともに孔の周りにリブが設けられており、
カバーは、突部の頭頂面に取り付けられる平板を介してボルトでケース本体に固定されていることを特徴とする請求項２に記載の電気機器ケース。
【発明の詳細な説明】
【技術分野】
【０００１】
本発明は、内部に電子部品や端子台を収容する電気機器ケースに関する。
【背景技術】
【０００２】
電気機器のケースはケース本体とカバーを備える。電気機器ケースの中には、騒音をできるだけ外部に漏らさないように、ケース本体とカバーとの間に防音材を配置することがある。例えば、特許文献１には、電気自動車の電動機に取り付ける端子ケースに関し、電動機の騒音を外部に漏らさないように、ケース本体とカバーとの間にシール部材を配置する技術が開示されている。シール部材が防音材の役割を果たし、外部への騒音の漏れが低減される。
【先行技術文献】
【特許文献】
【０００３】
【特許文献１】特開２００８−３０１５４１号公報
【発明の概要】
【発明が解決しようとする課題】
【０００４】
ケース本体にカバーを取り付ける場合、ケース本体とカバーとが直接に接する箇所が存在する。あるいは、ワッシャや平板を介してカバーを取り付ける場合には、そのワッシャや平板がケース本体と直接に接するとともに、外部に露出する。例えば、カバーを取り付けるボルトを受ける突部がケース本体開口内に存在するが、突部の頭頂面はカバー裏面、あるいはワッシャや平板の裏面と直接に接する。他方、防音効果を高めるためには、シール材（防音材）は柔らかい材質でなければならない。防音効果を高めるべく、ケース本体の突部の頭頂面とカバー裏面（あるいはワッシャや平板の裏面）との間に柔らかいシール材などを挟むと、シール材がちぎれるか、あるいは、ボルト締めが緩い場合にはカバーが確実に固定されない。突部を避けてシール材を配置すると、突部とシール材の間から音が漏れる。突部の周囲に直接に柔らかいシール材を配置すると、その柔軟性のために突部頭頂部とカバーとの間にシール材が巻きこまれる虞がある。本明細書は、ケース本体とカバーとの間の防音性に優れた電気機器ケースを提供する。
【課題を解決するための手段】
【０００５】
本明細書が開示する電気機器ケースは、ケース本体と、ケース本体の開口を覆うカバーを備える。ケース本体の開口内には、カバーを取り付けるボルトの挿通孔を頭頂面（突部上面）に有する突部が設けられている。その突部の周囲を囲むようにリブが設けられている。そして、リブの外周に防音材が取り付けられている。リブは、カバーに設けられていてもよいし、ケース本体に設けられていてもよい。
【０００６】
上記の電気機器ケースは、カバー裏面（あるいはワッシャや平板の裏面）と直接に接する突部の頭頂面には防音材（シール材）を設けない。その代わりに、突部の周囲にリブを設け、そのリブの周囲に防音材を取り付ける。防音材が、突部の周囲を通じて外部に漏れる騒音を低減する。防音材はリブに取り付けてあるので、防音材が突部とカバーの間に巻きこまれることはない。
【０００７】
カバーが樹脂で作られている場合、リブはカバーの裏面から伸びており、樹脂製であることが好ましい。樹脂製のカバーとリブは、金属よりも防音性に優れるからである。
【０００８】
前述したように、カバーは、突部の頭頂面に取り付けられる平板を介してボルトでケース本体に固定されていてもよい。その場合、カバーには、突部を通す孔が設けられている。そして、その孔の周りにリブが設けられている。カバーを固定する平板は、単なる平板でもよいし、他のデバイスやケーブルを留める機能を有するブラケットであってもよい。
【０００９】
本明細書が開示する技術の詳細とさらなる改良は以下の「発明を実施するための形態」にて説明する。
【図面の簡単な説明】
【００１０】
【図１】実施例の電気機器ケースの分解斜視図である。
【図２】図１のII−II矢視での断面図である。
【図３】変形例の電気機器ケースの断面図である。
【発明を実施するための形態】
【００１１】
図面を参照して実施例の電気機器ケース２を説明する。電気機器ケース２は、電気自動車に搭載され、モータの筐体に取り付けられ、モータへ電力を供給するパワーケーブルを接続する端子を収容する端子箱である。モータからの振動騒音が電気機器ケース２内へ侵入するため、できるだけ電気機器ケースから外へは騒音を漏らしたくない。実施例の電気機器ケース２は、特に、ケース本体１０とカバー４の間からの騒音の漏れを低減する。以下、電気機器ケース２を単純にケース２と称する。
【００１２】
図１にケース２の分解斜視図を示し、図２に、図１のII−II線に沿った断面図を示す。ケース２は、ケース本体１０と、その開口を覆うカバー４を備える。ケース本体１０は、例えばアルミニウムで作られており、カバー４は樹脂で作られている。カバー４は、金属製のブラケット３を介してボルト９でケース本体１０に固定される。ブラケット３は、電気機器ケース２の内部へ引き込むパワーケーブルをガイドするための金具であり、パワーケーブルを係止するための孔を有するフランジ３ｂが設けられている。
【００１３】
ケース本体１０には、ケーブル端子などが格納されるが、ケース内空間９１の上方には、ケーブル端子などを覆う中蓋１４が着脱自在に取り付けられる。中蓋１４の着脱構造については図示を省略する。また、ケース内空間９１に格納されるケーブル端子等の図示も省略する。
【００１４】
中蓋１４の略中央には突部１２が設けられている。別言すれば、ケース本体１０の開口内に突部１２が設けられている。突部１２は、ブラケット３とカバー４を固定するために備えられおり、その頭頂面にはボルト孔１３が設けられている。ブラケット３は、突部１２のボルト孔１３に対応する位置に貫通孔３ａを有しており、ブラケット３は、その貫通孔３ａにボルト９を通して突部１２（ケース本体１０）に固定される。
【００１５】
ケース本体１０の突部頭頂面とブラケット３の間にカバー４が挟み込まれる。別言すれば、カバー４は、ブラケット３を介してボルト９にてケース本体１０に固定される。カバー４は、ケース本体１０の開口周囲の周壁１５の上面を封止するとともに、防音の役割も果たす。突部１２の頭頂面は、ケース本体１０の開口の周壁１５の上面よりも僅かに高く、突部１２の頭頂面にブラケット３を固定したとき、ブラケット３の裏面と周壁１５の上面の間には僅かな隙間が形成され、その隙間にカバー４が挟み込まれ、周壁１５との間がしっかりと封止される。
【００１６】
カバー４の略中央であり、突部１２に対応する位置には開口４ａが設けられており、カバー４を取り付けると、開口４ａを通じて突部１２の頭頂面が露出し、その頭頂面にブラケット３の裏面が接する。そのブラケット３がボルト９でケース本体１０に固定される。ブラケット３は、その裏面がケース本体１０（突部１２の頭頂面）で直接に接してボルト９でしっかりと固定される。それゆえ、突部頭頂面とブラケット３との間に挟まれるカバー４もしっかりと固定される。
【００１７】
カバー４の開口４ａの周囲にはリブ５が設けられている。図２に示すように、リブ５は、カバー４をケース本体１０に取り付けたときに突部１２を囲むように設けられている。そして、リブ５の外側に防音材２１が取り付けられている。防音材２１は、リブ５に沿って、カバー４の裏面から、中蓋１４の表面までを覆っている。図２に示すように、ケース本体１０の突部１２は、防音材２１で囲まれる。それゆえ、突部１２の周囲を通じて漏れる騒音が低減される。なお、防音材は、中蓋１４の上面であり周壁１５の内側にも貼り付けられる（図２における防音材２２）。周壁１５の内側の防音材２２によっても、ケース本体１０から外に漏れる騒音が低減される。防音材２１、２２は、例えばウレタンフォームなど吸音性に優れる材料で作られている。
【００１８】
図３に、変形例のケース２ａの断面図を示す。ケース２ａは、図１のブラケット３を備えず、カバー１０４が直接に突部１２に固定されている。カバー１０４は、その裏面を突部頭頂面に接触させ、上からボルト９で固定される。カバー１０４の裏面で突部１２を囲むようにリブ５が設けられている。リブ５の外周に、防音材２１が取り付けられている。防音材２１は、カバー１０４の裏面から中蓋１４の表面までを覆うように伸びている。また、中蓋１４の上側でケース本体１０の開口の周壁１５の内側にも防音材２２が取り付けられている。
【００１９】
変形例のケース２ａも、突部１２を囲むようにリブ５が設けられており、そのリブ５の外周に、リブ５とともに突部１２を囲む防音材２１が取り付けられている。そのような構造により、カバー１０４を固定するための突部１２の周りから漏れる騒音を低減する。また、ケース本体１０の開口周壁１５の内側に貼り付けた防音材２２も、外に漏れる騒音の低減に貢献する。なお、内側の防音材２１と外側の防音材２２の間の空間９２を防音材で充填してもよい。
【００２０】
実施例で説明した技術に関する留意点を述べる。図１、図２で示したブラケット３が、カバー４をケース本体に固定する平板の一例に相当する。
【００２１】
以上、本発明の具体例を詳細に説明したが、これらは例示に過ぎず、特許請求の範囲を限定するものではない。特許請求の範囲に記載の技術には、以上に例示した具体例を様々に変形、変更したものが含まれる。本明細書または図面に説明した技術要素は、単独であるいは各種の組合せによって技術的有用性を発揮するものであり、出願時請求項記載の組合せに限定されるものではない。また、本明細書または図面に例示した技術は複数目的を同時に達成し得るものであり、そのうちの一つの目的を達成すること自体で技術的有用性を持つものである。
【符号の説明】
【００２２】
２、２ａ：電気機器ケース
３：ブラケット
３ａ：貫通孔
３ｂ：フランジ
４、１０４：カバー
４ａ：開口
５：リブ
９：ボルト
１０：ケース本体
１２：突部
１３：ボルト孔（挿通孔）
１４：中蓋
１５：周壁
２１、２２：防音材
【図１】
2014053475.tif 000003
【図２】
2014053475.tif 000004
【図３】
2014053475.tif 000005